(57)【要約】【課題】改善した一体成形型の回転子を有する遠心ポンプを提供する。【解決手段】吸水口２０１１と排水口２０１２を有するハウジング２０と、回転部２２１，前記回転部２２１の一側に設置された磁気リング２２２，および前記回転部２２１の中心に設置された軸受２２３を含み、前記ハウジング２０に位置される回転子２２と、前記回転子２２の前記磁気リング２２２に対応して前記ハウジング２０内に位置され、前記回転子２２の回転に必要な電磁力を提供する固定子２４を含み、前記回転部２２１と、前記磁気リング２２２と、前記軸受２２３が一体成型されたポンプである。【選択図】図２Ａ
2007024035.tif 000002
【特許請求の範囲】
【請求項１】
吸水口と排水口を有するハウジングと、
回転部，前記回転部の一側に配置された磁気リング，および前記回転部の中心に配置された軸受を含み、前記ハウジング内に配置される回転子と、
前記回転子の前記磁気リングに対応して前記ハウジング内に配置され、前記回転子の回転に必要な電磁力を提供する固定子とからなり、
前記回転部と、前記磁気リングと、前記軸受は一体成型されるポンプ。
【請求項２】
前記回転子は、プラスチック射出成型により一体成型される請求項１に記載のポンプ。
【請求項３】
前記磁気リングは、前記回転部の内側に設置される請求項１に記載のポンプ。
【請求項４】
前記固定子は、前記回転子の内側に位置される請求項３に記載のポンプ。
【請求項５】
前記磁気リングは、前記回転部の外側に設置される請求項１に記載のポンプ。
【請求項６】
前記固定子は、前記回転子の外側に位置される請求項５に記載のポンプ。
【請求項７】
前記回転子に軸方向に貫通する軸を更に含む請求項１に記載のポンプ。
【請求項８】
前記ハウジングは、上カバーと、前記上カバーと組み立てられ、前記回転子をその中に収容する収容空間を形成するフレーム体とを含む請求項７に記載のポンプ。
【請求項９】
前記ハウジングは、前記フレーム体と組み立てられ、前記固定子をその中に収容する密閉空間を形成する下カバーを更に含む請求項８に記載のポンプ。
【請求項１０】
前記回転子の上面は、複数の回転翼を有する請求項１に記載のポンプ。
【発明の詳細な説明】
【技術分野】
【０００１】
本発明は、一体成型された回転子を有するポンプに関し、特に、磁石と軸受が回転子のプラスチック金型の中に入れられ、回転子が一体成型された遠心ポンプに関するものである。
【背景技術】
【０００２】
図１に示すように、例えば特許文献１に開示される一般的な従来の遠心ポンプにおいて、モーター回転子の各部の部品は、それぞれ製造が完成した後に組み立てが行われる。先ず、回転子部１０、軸受１２と、磁石１４がそれぞれ独自に製造された後、圧入方式を用いて前記回転子部１０、軸受１２と、磁石１４を組み立て、モーター回転子を形成している。
【０００３】
しかし、こうした組み立て方式は、各部品に公差があるので、組み立て後における回転子の同心度と真円度の偏差が大きくなる。よって、ポンプモーターの運転のスムーズさに影響を与え、遠心ポンプの動作中に、慣性モーメント，振動および騒音が発生し、ポンプの出力の特性に悪影響を与える。
【０００４】
また、これらのモーター回転子の各部の部品は、それぞれ単独で別個に製造された後、圧入作業により組み立てをして完成する方式であるため、その部品間の結合および係合度が弱く、回転子の信頼性を低下させる。
【特許文献１】特開２００５−１１０４７７号公報
【発明の開示】
【発明が解決しようとする課題】
【０００５】
よって、如何にして従来技術の欠点を解決するかが重要な課題であり、本発明は、上述の好ましくない状態が発生するのを防止できるような、改善した一体成形型の回転子を有するポンプを提供する。
【課題を解決するための手段】
【０００６】
本発明の主な目的は、一体成型された回転子を有するポンプを提供する。前記ポンプの回転子は、一体成型で形成される。前記回転子の成型の製造プロセスは、軸を支える軸受と、モーター固定子に電磁作用を発生させる磁気リングとを、回転子を成形する金型に先に入れた後、プラスチック射出成型により、回転子の回転部と一体成型して回転子を完成する。
【０００７】
上述の目的を達成するために、本発明のポンプは、ハウジングと、回転子と、軸と、前記回転子と磁気的に結合した固定子とを含み、前記回転子と固定子は、前記ハウジング内にそれぞれ配置される。前記ハウジングは、吸水口と排水口を有し、液体の流入と流出に用いられる。前記回転子は、前記軸の軸受を支持するプラスチックの回転部と、前記回転部の一側に配置された磁気リングと、前記回転部の上面に形成された複数の回転翼とを含む。前記固定子は、回転子の磁気リングに対応して、前記回転子と磁気的に結合する位置にあり、通電後に電磁力を用いて前記回転子の回転を駆動することができる。
【０００８】
前記回転子は、一体成型からなる。回転子の製造プロセスは、前記回転子を形成するプラスチック金型の中に前記磁気リングと前記軸受とを先に入れる。次に、プラスチック射出成型により、前記回転部を磁気リングおよび軸受と共に一体成型する。続いて、ハウジングと、回転子と、軸と、固定子とを組み合わせて前記ポンプを形成する。
【０００９】
注意するのは、本発明の遠心ポンプは、外転型のポンプまたは内転型のポンプとすることができる。外転型のポンプでは、前記固定子は、前記回転子の内側に位置され、内転型のポンプでは、前記固定子は、前記回転子の外側に位置される。
【００１０】
本発明のポンプにおいて、モーターの回転子内の磁気リングと軸受は、前記回転部に堅固に取り付けることができ、回転子の各部品間の結合強度を増す。また、回転子は一体成型で完成していることから、従来の回転子の各部品を組み立てる時に発生する同心度と真円度の偏差の問題がなく、慣性モーメント，振動および騒音の発生を減少することができる。また、組み立てコストも削減することができる。
【発明の効果】
【００１１】
本発明のポンプは、一体成型の回転子を有することから組み立てのコストが下がるだけでなく、射出成型後における回転子の各部品の寸法精度が更に上がり、同心度または真円度のどちらでも、従来の回転子の組み立て方式に比較して優れている。また、より強固な結合強度とより高い信頼性を備える利点を有し、モーターの慣性モーメント，振動および騒音の発生を減少することができる。
【発明を実施するための最良の形態】
【００１２】
本発明についての目的，特徴，長所が一層明確に理解されるよう、以下に実施形態を例示し、図面を参照にしながら、詳細に説明する。
【実施例】
【００１３】
図２Ａと図３Ａを参照すると、これは本発明の外転型遠心ポンプにおける実施例の概略図であり、当該遠心ポンプは、ハウジング２０と、回転子２２と、回転子２２の内側に配置された固定子２４と、回転子２２に軸方向に貫通した軸２６とを含む。
【００１４】
回転子２２，固定子２４および軸２６は、ハウジング２０内に配置され、ハウジング２０は、上カバー２０１と、フレーム体２０２と、下カバー２０３とに更に分けて、これらを組み立てて構成することができる。上カバー２０１とフレーム体２０２との間は収容空間が形成され、回転子２２をその中に収容する。上カバー２０１の１つの側は、吸水口２０１１と排水口２０１２（両方とも図３Ａの点線に示されている）を有し、ポンプが運転している時の液体の流入と流出に用いられる。下カバー２０３は、上カバー２０１に相対するもう１つの側に設置され、下カバー２０３とフレーム体２０２との間に、固定子２４を収容するもう１つの密閉空間を形成することができる。軸２６の両端は、それぞれ上カバー２０１とフレーム体２０２に固定され、軸２６は回転子２２の回転中心軸となる。
【００１５】
回転子２２は、回転可能なプラスチックの回転部２２１と、この回転部２２１の一側すなわち内側壁に配置された磁石としての磁気リング２２２と、回転部２２１の中心に配置され、軸２６を支持する軸受２２３と、回転部２２１の上面に形成された複数の回転翼２２４とを含む。回転子２２と上カバー２０１およびフレーム体２０２との間は、液体を通過させる間隙を有する。
【００１６】
固定子２４は、回転子２２の内側に位置され、主に、複数の積み重ねられたシリコンスチールシートと、このシリコンスチールシートの外側を囲むコイルとから構成される。固定子２４は、回転子２２の磁気リング２２２に対応して磁気的に結合する位置にあり、コイルへの通電後、電磁力を提供して回転子２２の回転を駆動することができる。
【００１７】
回転子２２は、一体成型からなる。具体的に言うと、回転子２２の成型の製造プロセスは、磁気リング２２２と軸受２２３が回転子２２を形成するプラスチック金型の中に先に入れられる。次に、プラスチック射出成型により、単一ユニットとして回転部２２１を磁気リング２２２および軸受２２３と共に一体成型して、回転子２２を完成する。続いて、ハウジング２０と、回転子２２と、固定子２４と、軸２６とを組み合わせて遠心ポンプを形成する。
【００１８】
図２Ｂと図３Ｂを参照すると、これは本発明の内転型遠心ポンプにおける実施例の概略図である。当該遠心ポンプは、ハウジング３０と、回転子３２と、回転子３２の外側に位置された固定子３４と、回転子３２に軸方向に貫通した回転軸３６とを含む。
【００１９】
回転子３２，固定子３４および軸３６は、ハウジング３０内に配置され、ハウジング３０は、上カバー３０１と、フレーム体３０２と、下カバー３０３とに更に分けて、これらを組み立てて構成することができる。上カバー３０１とフレーム体３０２のとの間は収容空間が形成され、回転子３２をその中に収容する。上カバー３０１の１つの側は、吸水口３０１１と排水口３０１２（両方とも図３Ａの点線に示されている）を有し、ポンプが運転している時の液体の流入と流出に用いられる。下カバー３０３は、上カバー３０１に相対するもう１つの側に設置され、下カバー３０３とフレーム体３０２との間に、固定子３４を収容するもう１つの密閉空間を形成することができる。軸３６の両端は、それぞれ上カバー３０１とフレーム体３０２に固定され、軸２６は回転子３２の回転中心軸となる。
【００２０】
回転子３２は、回転可能なプラスチックの回転部３２１と、この回転部３２１の一側すなわち内側壁に配置された磁気リング３２２と、回転部３２１の中心に設置され、軸３６を支持する軸受３２３と、回転部３２１の上面に形成された複数の回転翼３２４とを含む。回転子３２と上カバー３０１およびフレーム体３０２との間は、液体を通過させる間隙を有する。
【００２１】
固定子３４は、回転子３２の外側に位置され、主に、複数の積み重ねられたシリコンスチールシートと、このシリコンスチールシートの外側を囲むコイルとから構成される。固定子３４は、回転子３２の磁気リング２２２に対応して磁気的に結合する位置にあり、通電後、電磁力を提供して回転子３２の回転を駆動することができる。
【００２２】
回転子３２は、一体成型からなる。具体的に言うと、回転子３２の成型の製造プロセスは、磁気リング３２２と軸受３２３が回転子３２を形成するプラスチック金型の中に先に入れられる。次に、プラスチック射出成型により、単一ユニットとして回転部３２１を磁気リング３２２および軸受３２３と共に一体成型して、回転子３２を完成する。続いて、ハウジング３０と、回転子３２と、固定子３４と、軸３６とを組み合わせて遠心ポンプを形成する。
【００２３】
以上のように、本発明のポンプは、一体成型の回転子２２，３２を有することから組み立てのコストが下がるだけでなく、射出成型後における回転子２２，３２の各部品の寸法精度が更に上がり、同心度または真円度のどちらでも、従来の回転子２２，３２の組み立て方式に比較して優れている。また、より強固な結合強度とより高い信頼性を備える利点を有し、モーターの慣性モーメント，振動および騒音の発生を減少することができる。
【００２４】
以上、本発明の好適な実施例を例示したが、これは本発明を限定するものではなく、本発明の精神及び範囲を逸脱しない限りにおいては、当業者であれば行い得る少々の変更や同様の装置を付加することは可能である。従って、本発明が保護を請求する範囲は、特許請求の範囲を基準とする。
【図面の簡単な説明】
【００２５】
【図１】従来の遠心ポンプにおける回転子の分解組立図である。
【図２Ａ】本発明の実施例における外転型遠心ポンプの回転子の断面図である。
【図２Ｂ】本発明の実施例における内転型遠心ポンプの回転子の断面図である。
【図３Ａ】本発明の実施例における外転型遠心ポンプの断面図である。
【図３Ｂ】本発明の実施例における内転型遠心ポンプの断面図である。
【符号の説明】
【００２６】
１０，２２１，３２１  回転部
２０２，３０２  フレーム体
１２，２２３，３２３  軸受
２０３，３０３  下カバー
１４  磁石
２２，３２  回転子
２０，３０  ハウジング
２２２，３２２  磁石（磁気リング）
２０１，３０１  上カバー
２２４，３２４  回転翼
２０１１，３０１１  吸水口
２４，３４  固定子
２０１２，３０１２  排水口
２６，３６  軸
【図１】
2007024035.tif 000003
【図２Ａ】
2007024035.tif 000004
【図２Ｂ】
2007024035.tif 000005
【図３Ａ】
2007024035.tif 000006
【図３Ｂ】
2007024035.tif 000007